(57)【要約】      （修正有）【課題】球技用のボールから空調室内機を効果的に保護できるようにした空調室内機の防球柵を提供する。【解決手段】防球柵Ｂ１（Ｂ２、Ｂ３）によって、体育館の内壁面に沿って配設された空調室内機を球技用の球から保護する。防球柵Ｂ１は、少なくとも空調室内機の正面と左右側面と上面とを覆う形状とされて、空調室内機による空調用の空気が通過される通風用開口部を有している。空調室内機が高所に配設される場合は、空調室内機の下面を覆う下面覆い部が設けられる。防球柵Ｂ１は、複数の縦格子部材１１と複数の横格子部材１２とによって格子状に形成するのが好ましい（格子隙間が通風用開口部とされる）。空調室内機は、ヒートポンプ式の第１空調室内機と、第１空調室内機の熱媒体が通過される輻射式の第２空調室内機とのセット体として構成するのが好ましい。防球柵を、複数の小防球柵の組み合わせとして構成することもできる。【選択図】図２
0003215423.tif 000002
【実用新案登録請求の範囲】
【請求項１】
体育館の内壁面に沿って配設された空調室内機を球技用の球から保護するための防球柵であって、
前記空調室内機のうち体育館のフィールド部位側に露出される各露出面を覆う形状とされ、
前記空調室内機による空調用の空気が通過される通風用開口部を有している
ことを特徴とする空調室内機の防球柵。
【請求項２】
請求項１において、
それぞれ上下方向に延びて互いに間隔をあけて配設された複数の縦格子部材と、それぞれ上下方向に間隔をあけて配設されて前記複数の縦格子部材同士を連結する複数の横格子部材とによって格子状に形成されている、ことを特徴とする空調室内機の防球柵。
【請求項３】
請求項２において、
床面に載置または低所に設置された前記空調室内機の正面を覆う正面覆い部と、該空調室内機の左右側面を覆う左右一対の側面覆い部と、該空調室内機の上面を覆う上面覆い部と、を有している、ことを特徴とする空調室内機の防球柵。
【請求項４】
請求項３において、
下端部付近から所定高さ位置範囲の間に、手指が挿入されるのを規制する多孔部材が設けられている、ことを特徴とする空調室内機の防球柵。
【請求項５】
請求項３または請求項４において、
前記複数の縦格子部材のうち、一部の縦格子部材の下端が床面に当接される一方、残りの縦格子部材の下端が床面との間に手指および腕が挿入可能な空間を形成するように該床面から離間されている、ことを特徴とする空調室内機の防球柵。
【請求項６】
請求項２において、
高所に設置された空調室内機の正面を覆う正面覆い部と、該空調室内機の左右側面を覆う左右一対の側面覆い部と、該空調室内機の上面を覆う上面覆い部と、該空調室内機の下面を覆う下面覆い部と、を有している、ことを特徴とする空調室内機の防球柵。
【請求項７】
請求項２ないし請求項６のいずれか１項において、
前記上面覆い部が、前記内壁面に向かうにつれて徐々に高くなるように傾斜されている、ことを特徴とする空調室内機の防球柵。
【請求項８】
請求項２ないし請求項７のいずれか１項において、
前記内壁面に固定される係止部材に対して、上方から係脱される係合部を有し、
前記係合部を前記係止部材に係合させることにより、前記内壁面に対して係止される、
ことを特徴とする空調室内機の防球柵。
【請求項９】
請求項８において、
前記係合部が、前記横格子部材のうち前記空調室内機の左右側方でかつ前記内壁面直近に位置する部分に形成されている、ことを特徴とする空調室内機の防球柵。
【請求項１０】
請求項２ないし請求項９のいずれか１項において、
前記空調室内機が、第１空調室内機と、該第１空調室内機に隣接して配設される第２空調室内機とを含み、
前記第１空調室内機は、屋外に配設される空調室外機との間で熱媒体が循環されて、空調風として温風と冷風とを選択的に吹き出し可能なヒートポンプ式の空調装置用とされ、
前記第２空調室内機が、前記第１空調室内機を通過した直後の熱媒体が通過されることにより該熱媒体と熱交換されて輻射式で空調を行う輻射パネル式とされ、
前記縦格子部材および前記横格子部材がそれぞれ、アルミニウム合金によって形成されている、
ことを特徴とする空調室内機の防球柵。
【請求項１１】
請求項２ないし請求項１０のいずれか１項において、
互いに独立した複数の小防球柵を組み合わせることによって構成されている、ことを特徴とする空調室内機の防球柵。
【考案の詳細な説明】
【技術分野】
【０００１】
本考案は、体育館内で行われている球技の球が空調室内機に当たってしまうのを防止してその保護を行うための空調室内機の防球柵に関するものである。
【背景技術】
【０００２】
体育館においては、空調を行うことが一般的となっている。特許文献１では、体育館の床を空調風の流通可能な二重構造として、床面を通して空調風を体育館の室内空間へと供給することが開示されている。
【０００３】
体育館の空調を容易に行えるように、空調室内機を体育館の内壁面に沿って配設することが行われている。この場合、空調室内機を、空調室外機との間で熱媒体が循環されて、温風と冷風とを選択的に吹き出すことができるヒートポンプ式空調装置用とされることが多い。
【０００４】
ヒートポンプ式空調装置用の空調室内機を第１空調室内機としたとき、別途輻射式の第２空調室内機を設けることも行われている。具体的には、第２空調室内機は、第１空調室内機を通過した直後の熱媒体が通過されることにより該熱媒体と熱交換されて、輻射式でもって空調を行うこととなる。このような第１空調室内機と第２空調室内機とを用いた空調装置は、第１空調室内機からの空調風を微風として、第２空調室内機での輻射による空調能力を高めて、体育館内に大きな風を発生させることなく（第１空調室内機からの空調風が球技の邪魔とならないようにしつつ）、第２空調室内機での輻射式の効果的な空調によって、体育館内が均一に空調されることになる。そして、第２空調室内機を用いることにより、第１空調室内機のみで空調を行う場合に比して、大幅に消費電力を低減することが可能になる。このようなことから、第１空調室内機と第２空調室内機とを組み合わせて空調を行うようにした体育館が増加する傾向にある。
【先行技術文献】
【特許文献】
【０００５】
【特許文献１】特開平５−３４０５５８号公報
【考案の概要】
【考案が解決しようとする課題】
【０００６】
ところで、体育館内では、種々の球技が行われるものである。例えば、バレーボール、バスケットボール、テニス、フットサル、卓球、バドミントン、ハンドボール等、種々の球技が行われる。
【０００７】
体育館内で球技が行われたとき、ボールが空調室内機に当たってしまうことが多々生じる。特に大きくて重量のあるボール（例えばバスケットボールやフットサル用のボール）が勢いよく空調室内機に当たると、空調室内機が少なからず損傷してしまうことにもなりかねない。
【０００８】
本考案は以上のような事情を勘案してなされたもので、その目的は、球技用のボールから空調室内機を効果的に保護できるようにした空調室内機の防球柵を提供することにある。
【課題を解決するための手段】
【０００９】
前記目的を達成するため、本考案にあっては次のような解決手法を採択してある。すなわち、請求項１に記載のように、
体育館の内壁面に沿って配設された空調室内機を球技用の球から保護するための防球柵であって、
前記空調室内機のうち体育館のフィールド部位側に露出される各露出面を覆う形状とされ、
前記空調室内機による空調用の空気が通過される通風用開口部を有している
ようにしてある。
【００１０】
上記解決手法によれば、防球柵によって空調室内機を覆うことにより、球技用の球が空調室内機に当たってしまうことを防止して、空調室内機を効果的に保護することができる。また、空調室内機による空調用の空気が通過可能なので、空調室内機による空調を行う上でなんら問題のないものとなる。
【００１１】
上記解決手法を前提とした好ましい態様は、請求項２以下に記載のとおりである。すなわち、
それぞれ上下方向に延びて互いに間隔をあけて配設された複数の縦格子部材と、それぞれ上下方向に間隔をあけて配設されて前記複数の縦格子部材同士を連結する複数の横格子部材とによって格子状に形成されている、ようにしてある（請求項２対応）。この場合、防球柵を格子状に形成して、強度を十分に確保することができる。また、格子隙間を通風用開口部として有効に利用することができる。
【００１２】
床面に載置または低所に設置された前記空調室内機の正面を覆う正面覆い部と、該空調室内機の左右側面を覆う左右一対の側面覆い部と、該空調室内機の上面を覆う上面覆い部と、を有している、ようにしてある（請求項３対応）。この場合、空調室内機が床面に載置あるいは低所に設置される場合に好適な防球柵が提供される。
【００１３】
下端部付近から所定高さ位置範囲の間に、手指が挿入されるのを規制する多孔部材が設けられている、ようにしてある（請求項４対応）。この場合、子供や幼児が不用意に防球柵内に手指を入れてしまうことを防止する上で好ましいものとなる。
【００１４】
前記複数の縦格子部材のうち、一部の縦格子部材の下端が床面に当接される一方、残りの縦格子部材の下端が床面との間に手指および腕が挿入可能な空間を形成するように該床面から離間されている、ようにしてある（請求項５対応）。この場合、防球柵の重量を床面で支承させつつ、防球柵内に入ってしまった小さな球（例えば卓球ボール）を回収できるようにする上で好ましいものとなる。
【００１５】
高所に設置された空調室内機の正面を覆う正面覆い部と、該空調室内機の左右側面を覆う左右一対の側面覆い部と、該空調室内機の上面を覆う上面覆い部と、該空調室内機の下面を覆う下面覆い部と、を有している、ようにしてある（請求項６対応）。この場合、空調室内機が高所に設置される場合に好適な防球柵が提供される。
【００１６】
前記上面覆い部が、前記内壁面に向かうにつれて徐々に高くなるように傾斜されている、ようにしてある（請求項７対応）。この場合、防球柵の上面に当たった球は、上面に留まることなくフィールド部位に向けて自然落下することから、球の回収が容易となる。
【００１７】
前記内壁面に固定される係止部材に対して、上方から係脱される係合部を有し、
前記係合部を前記係止部材に係合させることにより、前記内壁面に対して係止される、
ようにしてある（請求項８対応）。この場合、防球柵が不用意に移動しないようにする上で好ましいものとなる。また、係合部を係止部材に対して係止させる作業は、防球柵を若干持ち上げた状態で下ろすだけでよいので、簡単に行うことができる。
【００１８】
前記係合部が、前記横格子部材のうち前記空調室内機の左右側方でかつ前記内壁面直近に位置する部分に形成されている、ようにしてある（請求項９対応）。この場合、横格子部材の端部を有効に利用して、防球柵の係止を行うことができる。
【００１９】
前記空調室内機が、第１空調室内機と、該第１空調室内機に隣接して配設される第２空調室内機とを含み、
前記第１空調室内機は、屋外に配設される空調室外機との間で熱媒体が循環されて、空調風として温風と冷風とを選択的に吹き出し可能なヒートポンプ式の空調装置用とされ、
前記第２空調室内機が、前記第１空調室内機を通過した直後の熱媒体が通過されることにより該熱媒体と熱交換されて輻射式で空調を行う輻射パネル式とされ、
前記縦格子部材および前記横格子部材がそれぞれ、アルミニウム合金によって形成されている、
ようにしてある（請求項１０対応）。この場合、ヒートポンプ式の第１空調室内機に加えて、第１空調室内機からの熱媒体が通過される輻射式の第２空調室内機を用いることにより、省エネを図りつつ、フィールド部位を均一温度に維持させることができ、また空調風を極力微風として球技に影響を与えないようにすることができる。さらに、防球柵を構成する格子部材が熱伝導性の良好なアルミニウム合金製としてあるので、特に第２空調室内機からの輻射熱の一部が格子部材を加温あるいは冷却したとしても、この格子部材が輻射用部材として効果的に機能されることにもなる。
【００２０】
互いに独立した複数の小防球柵を組み合わせることによって構成されている、ようにしてある（請求項１１対応）。この場合、防球柵の設置や取外しを各小防球柵毎に行えることから、設置作業や取外し作業が容易となる。これにより、空調室内機のメンテナンスも容易に行うことが可能となる。とりわけ、空調装置の部分的なメンテナンスを行う際には、必要箇所の小防球柵のみを取外せばよいものとなる。
【考案の効果】
【００２１】
本考案によれば、球技用のボールから空調室内機を効果的に保護できる。
【図面の簡単な説明】
【００２２】
【図１】体育館における空調室内機の配設例を示す簡略平面図。
【図２】防球柵を３個併設した状態を示す斜視図。
【図３】図２の防球柵によって空調室内機を保護している状態を示す正面図。
【図４】図３を上方から見た上面図。
【図５】図３の右側面図。
【図６】多孔板の部分拡大図。
【図７】横格子部材を係止部材に対して係止させようとしている状態を示す斜視図。
【図８】横格子部材を係止部材に対して係止させた状態を示す斜視図。
【図９】横格子部材と係止部材との係止状態を示す側面断面図。
【図１０】本考案の第２の実施形態を示す正面図。
【図１１】本考案の第３の実施形態を示す正面図。
【図１２】図１１を上方から見た上面図。
【図１３】図１１の右側面図。
【考案を実施するための形態】
【００２３】
図１は、体育館のうち球技を行うフィールド部位（競技面）Ｆを示すものであり、各種用具（器具）の収納スペース、管理スペース等は図示を略してある。図中、１は柱、２は柱１同士を連結する壁材であり、柱１と壁材２によってフィールド部位Ｆが囲まれている。また、フィールド部位Ｆの上方は屋根（図示略）で覆われている。
【００２４】
壁材２の内面側（内壁面Ｈで、フィールド部位Ｆに臨む面）に沿って、空調室内機Ｓが配設されている。空調室内機Ｓは、実施形態では、図３〜図５に示すように、ヒートポンプ式の装置用となる第１空調室内機Ｓ１と、輻射式の第２空調室内機Ｓ２とのセット体によって構成されて、このセット体が多数設けられている。各空調室内機Ｓ１、Ｓ２は、フィールド部位Ｆの床面Ｙに載置されている（図３、図５参照）
第１空調室内機Ｓ１は、屋外に配設される空調室外機（図示略）との間で熱媒体が循環されて、空調風として温風と冷風とを選択的に吹き出し可能なヒートポンプ式の空調装置用とされている。また、第２空調室内機Ｓ２は、第１空調室内機Ｓ１を通過した直後の熱媒体が通過されることにより該熱媒体と熱交換されて、輻射式で空調を行う輻射パネル式とされている。このような第２空調室内機Ｓ２は、株式会社エコファクトリーの製品（商品名ecowin HYBRID）を用いることができる。
【００２５】
フィールド部位Ｆの空調（暖房または冷房）を行う際には、当初は第１空調室内機Ｓ１からの空調風の吹出量を大きくして（その分第２空調室内機Ｓ２での輻射による空調能力は小となる）、もっぱら対流による空調を行う。フィールド部位Ｆが所望温度程度になった時点で、第１空調室内機Ｓ１からの空調風の吹出量を例えば微風として、その分第２空調室内機Ｓ２での空調能力を増大させることになる。第１空調室内機Ｓ１からの空調風の吹出量を微風として、分第２空調室内機Ｓ２での空調能力を増大させた状態で空調を継続することにより、フィールド部位Ｆでは、空調風の影響を受けることなく球技を行うことができ、またフィールド部位Ｆ全体をほぼ均一に所望温度状態に維持することができる。そして、空調のための消費電力も大幅に低減されることになる。
【００２６】
次に、図２〜図５を参照しつつ、空調室内機Ｓ（Ｓ１とＳ２）に対して球技用のボールが当たるのを防止してその保護を行うための防球柵について説明する。図２〜図５の例は、第１空調室内機Ｓ１と第２空調室内機Ｓ２との２セット分を保護するものとなっており、防球柵としては、Ｂ１、Ｂ２、Ｂ３の３つを用いてある。すなわち、２つの第１空調室内機Ｓ１が互いに隣り合うように配設され、その両脇にそれぞれ第２空調室内機Ｓ２が配設されたものとなっている。そして、防球柵Ｂ１とＢ２とは同じものが用いられて、それぞれ１つの第２空調室内機Ｓ２を保護する。また、防球柵Ｂ３は、隣り合う２つの第１空調室内機Ｓ１を保護するものとなっている。
【００２７】
防球柵Ｂ１（Ｂ２）とＢ３は、その横方向の大きさが相違するのみで、それ以外は実質的に同一構成とされているので、防球柵Ｂ１に着目して説明する。
【００２８】
防球柵Ｂ１は、全体的に格子状とされて、上下方向に延びる複数（多数）の縦格子部材１１と、水平方向に延びる複数の横格子部材１２と、を有する。複数の縦格子部材１１が、横格子部材Ｂ１２によって互いに連結、一体化されている（例えば溶接や固定具による固定）。縦格子部材１１は、金属製（実施形態ではアルミニウム合金）のパイプ材（例えば外径２５〜３５ｍｍ程度）によって形成されている。横格子部材１２は、金属製（実施形態ではアルミニウム合金）の帯状とされた板材によって形成されている（例えば厚さ４〜６ｍｍ程度で、幅が４０〜６０ｍｍ程度）。
【００２９】
隣り合う縦格子部材２１同士の隙間は、所定以上の大きさボールが通過できないように設定されている。実施形態では、この隙間αが１００〜１２０ｍｍ程度とされて、バレーボール、バスケットボール、フットサル用の等の所定以上の大きさのボールが通過できないように設定されている。なお、この隙間αは適宜設定することができ、例えば５０ｍｍ程度とすることによりテニスボールも通過できないものとされる。
【００３０】
格子状とされた防球柵Ｂ１は、第２空調室内機Ｓ２の正面を覆う正面覆い部２１と、第２空調室内機Ｓ２の左右側方を覆う左右一対の側面覆い部２２と、第２空調室内機Ｓ２の上面を覆う上面覆い部２３と、を有する。左右一対の側面覆い部２２と上面覆い部２３は、内壁面Ｈ（図１における壁材２の内壁面）の直近まで延びていて、内壁面Ｈとの間の隙間が実質的に存在しないようにされている（間へＨとの隙間から手指を挿入ができない設定）。
【００３１】
上面覆い部２３は、内壁面Ｈに近づくにつれて、上方に位置するように傾斜されている（図５参照）。これにより、ボールが上面覆い部２３に当たったとき、ボールが上面覆い部２３に留まることなく、フィールド部位Ｆに向けてころがり落ちることになる。
【００３２】
縦格子部材２１の下端は、基本的に、フィールド部位Ｆの床面Ｙに当接（着座）されている。これにより、防球柵Ｂ１の重量が床面Ｙで支承させると共に、防球柵Ｂ１の下方から手指が挿入できないようにされている。ただし、一部の縦格子部材２１の下端は、床面Ｙから若干浮き上がった状態とされて、床面Ｙとの間に、手指や腕が挿入可能な隙間βが形成されている。隣り合う縦格子部材２１の間を通過した小さなボール等（例えば卓球ボール）は、防球柵Ｂ１内に入りこむこともあるが、隙間βを通して、防球柵Ｂ１内のボールを回収することができる。なお、全ての縦格子部材１１の下端位置を、床面Ｙに対して隙間βを有する設定とすることもできる（防球柵Ｂ１の重量は、内壁面Ｈへ支承させる）。
【００３３】
防球柵Ｂ１は、その下端部付近から所定高さ範囲に渡って、多孔部材としての多孔板２４が配設されている（図２〜図５において、多孔板２４をハッチングを付して示してある）。多孔板２４は、例えばアルミニウム合金製の板材を加工したパンチングメタルによって構成されて、防球柵Ｂ１に一体化されている（例えば溶接あるいは固定具による固定）。多孔板２４の孔あき形状例が図６に示され、多数の孔が符号２４ａで示される。なお、孔２４ａの形状は、実施形態では円形としてあるが、方形や三角形等、適宜の形状とすることができる。多孔板２４は、隣り合う縦格子部材２１の間の隙間を通して手指を挿入してしまうことの防止と、小さなボールが通過してしまうのを防止するためのものとされる。このため、多孔板２４の孔２４ａの最大径は小さいものとし（例えば直径５〜１０ｍｍ程度）、また多孔板２４の上端高さ位置は例えば１２００〜１５００ｍｍ程度に設定するのが好ましい。なお、第１空調室内機Ｓ１の空調風の吹出口は、多孔板２４の上端よりも高い位置とされている。なお、多孔部材としては、多孔板２４に代えて網状部材（例えば金網）を用いることもできる。
【００３４】
防球柵Ｂ１は、そのまま床面Ｙに載置して使用することもできる。実施形態では、防球柵Ｂ１が不用意に動いてしまう事態を防止するために、別途係止部材３０を利用して、防球柵Ｂ１を内壁面Ｈに係止するようにしてある。以下、この点について、図７〜図９を参照しつつ説明する。
【００３５】
まず、係止部材３０は、金属製（例えばアルミニウム合金）の帯状とされて、固定具（実施形態では木ビス）３１によって内壁面Ｈに固定される（図９参照）。係止部材３０は、フィールド部位Ｆ側に突出された段部３２を有して、この段部３２を利用して、上方に向けて開口された係止孔３３が形成されている。この係止孔３３は、係止部材３０の左右端部の２箇所に形成されている。
【００３６】
一方、横格子部材２２は、その内壁面Ｈ側の端部において、内側に向けて９０度折曲された折曲部１３が形成されている。そして、折曲部１３には、舌片状の係合部１４が下方に向けて突出形成されている。
【００３７】
上記係合部１４は、前記係止孔３３に対して上方から抜き差しされる。すなわち、係止部材３０を内壁面Ｈに固定した状態で、防球柵Ｂ１を若干持ち上げつつ、係合部１４を係止孔３３に整合させ、この状態で防球柵Ｂ１を下げれば、係合部１４が係止孔３３に係合（嵌合）されることになる。この係合が行われた後は、固定ボルト３４によって、係合部１４が係止部材３０に固定される。固定ボルト３４による固定を行うために、段部３２には固定ボルト３４が挿通される挿通孔３２ａが形成される一方、係合部１４には固定ボルト３４が螺合されるねじ孔１４ａが形成されている。
【００３８】
係止部材３０を利用した固定により、防球柵Ｂ１は、内壁面Ｈから離間すること（特に倒れ）が防止され、また左右方向への移動も規制される。なお、係合部１４と係止孔３３とを利用した係止は、複数の横格子部材２２について行うようにしてある。
【００３９】
以上のような防球柵Ｂ１は、その左右方向（図３左右方向）の長さが１０００〜１２００ｍｍ程度とされ、その高さが２５００〜２７００ｍｍ程度とされ、その厚さ方向（図５左右方向）の長さが４００〜６００ｍｍ程度とされている。なお、２つの第１空調室内機Ｓ１を覆う防球柵Ｂ３は、その左右方向長さが、１５００〜１７００ｍｍ程度とされて、防球柵Ｂ１、Ｂ２の左右方向長さよりも大きくされている。なお、係止部材３０は、各防球柵Ｂ１〜Ｂ３毎に個々独立して設けてもよいが、防球柵Ｂ１〜Ｂ３の共通用として長尺のものとすることもできる。
【００４０】
第１空調室内機Ｓ１からの空調風は、縦横の格子部材１１と１２とによって形成される格子隙間を通してフィールド部位Ｆ側へと供給される。また、輻射式とされた第２空調室内機Ｓ２からの輻射熱（温熱または冷熱）は、上記格子隙間および多孔板２４の孔２４ａを通してフィールド部位Ｆ側へと供給される。なお、空調風の一部あるいは輻射熱の一部は、各格子部材１１、１２や多孔板２４を加温あるいは冷却することから、この格子部材１１、１２および多孔板２４が輻射用部材として機能されることにもなる。このため、格子部材１１、１２や多孔板２４は、伝熱性の優れた金属で形成しておくのが好ましいものとなる。
【００４１】
図１０は、本考案の第２の実施形態を示すもので前記実施形態と同一構成要素には同一符号を付してその重複した説明は省略する（このことは、以下の第３の実施形態においても同じ）。本実施形態では、空調室内機Ｓとして、第１空調室内機Ｓ１と第２空調室内機Ｓ２とを１セットのみとした場合を示す。第１空調室内機Ｓ１用の防球柵と第２空調室内機Ｓ２用の防球柵とは、互いに同じものが用いられている（前記実施形態における防球柵Ｂ１あるいはＢ２対応）。
【００４２】
図１１〜図１３は、本考案の第３の実施形態を示すものである。本実施形態では、空調室内機Ｓが、第１空調室内機Ｓ１と第２空調室内機Ｓ２との１セット設けられている。そして、第１空調室内機Ｓ１の下方に第２空調室内機Ｓ２を配設してある。第１空調室内機Ｓ１と第２空調室内機Ｓ２とのセット体は、高所に配設されている（下方に位置する第２空調室内機Ｓ２の底面高さ位置が例えば１８００〜２０００ｍｍ）。また、第２空調室内機Ｓ２は、第１空調室内機Ｓ１に比して、横方向長さが十分に大きくなっていて、第２空調室内機Ｓ１は、第２空調室内機Ｓ２の横方向略中央部に位置されている。
【００４３】
防球柵Ｂ１０は、小防球柵Ｂ１１〜Ｂ１３の３つの分割構成とされている。中央の小防球柵Ｂ１３は、第１空調室内機Ｓ１よりも若干横方向長さが大きくされて、該第１空調室内機Ｓ１を覆っている。横方向に長い第２空調室内機Ｓ２は、３つの小防球柵Ｂ１１〜Ｂ１３に跨がるように配設されている。そして、小防球柵Ｂ１１とＢ１３との間の隣接部位、および小防球柵Ｂ１２とＢ１３との間の隣接部位を、第２空調室内機Ｓ２が貫通している。このため、上記各隣接部位（側面覆い部に相当する面）については、横格子部材１２が第２空調室内機Ｓ２と干渉しないようにその上下位置が設定され、また縦格子部材１１が存在しないものとされている。
【００４４】
防球柵Ｂ１０は、第２空調装置Ｓ２の下方が大きく露出されることから、下方に位置する第２空調室内機Ｓ２の下面を覆う下面覆い部２６を有するものとなっている（図１３参照）。
【００４５】
防球柵Ｂ１０は、基本的には一体的なものとすることもできるが、小防球柵Ｂ１１〜Ｂ１３の分割構成とすることにより、その設置や取外しが容易となる。これにより、空調室内機Ｓのメンテナンスも容易に行うことが可能となる。とりわけ、空調装置Ｓの部分的なメンテナンスを行う際には、必要箇所の小防球柵のみを取外せばよいものとなる。なお、防球柵の分割数は、２あるいは４以上とすることもできる。
【００４６】
以上実施形態について説明したが、本考案は、実施形態に限定されるものではなく、実用新案登録請求の範囲の記載された範囲において適宜の変更が可能であり、例えば次のような場合をも含むものである。空調室内機Ｓとして第１空調室内機Ｓ１と第２空調室内機Ｓ２とのセット体として構成する場合に、１つの防球柵は１つのセット体をまとめて覆うものであってもよく、複数のセット体をまとめて覆うものであってもよい。さらに、１つのセット体を構成する第１空調室内機Ｓ１と第２空調室内機Ｓ２とをそれぞれ別個独立して防球柵で覆うようにしてもよい。空調室内機としては、ヒートポンプ式の空調装置用のみとすることもでき、また輻射式の空調装置用のみとすることもできる。防球柵を、例えば全体的にパンチングメタルによって構成するようにしてもよく、また、一部を格子部材で構成すると共に残りの部分をパンチングメタルで構成することもできる。防球柵を、上下方向に分割された小防球柵の組み合わせによって構成することもできる。
【産業上の利用可能性】
【００４７】
本考案は、体育館の空調用として好適である。
【符号の説明】
【００４８】
Ｆ：フィールド部位
Ｈ：内壁面
Ｙ：床面
α：隙間（縦格子部材の間）
β：隙間（床面との間）
Ｓ：空調室内機
Ｓ１：第１空調室内機
Ｓ２：第２空調室内機
Ｂ１〜Ｂ３：防球柵
１１：縦格子部材
１２：横格子部材
１３：折曲部
１４：係合部
１４ａ：ねじ孔
２１：正面覆い部
２２：側面覆い部
２３：上面覆い部
２４：多孔板
２４ａ：孔
２６：下面覆い部（図１１〜図１３）
３０：係止部材
３１：木ビス
３２：段部
３２ａ：挿通孔
３３：係止孔
３４：固定ボルト
Ｂ１０：防球柵（図１１〜図１３）
Ｂ１１〜Ｂ１３：小防球柵（図１１〜図１３）
【図１】
0003215423.tif 000003
【図２】
0003215423.tif 000004
【図３】
0003215423.tif 000005
【図４】
0003215423.tif 000006
【図５】
0003215423.tif 000007
【図６】
0003215423.tif 000008
【図７】
0003215423.tif 000009
【図８】
0003215423.tif 000010
【図９】
0003215423.tif 000011
【図１０】
0003215423.tif 000012
【図１１】
0003215423.tif 000013
【図１２】
0003215423.tif 000014
【図１３】
0003215423.tif 000015
【手続補正書】
【提出日】平成30年1月18日(2018.1.18)
【手続補正１】
【補正対象書類名】実用新案登録請求の範囲
【補正対象項目名】全文
【補正方法】変更
【補正の内容】
【実用新案登録請求の範囲】
【請求項１】
体育館の内壁面に沿って配設された空調室内機を球技用の球から保護するための防球柵であって、
前記空調室内機のうち体育館のフィールド部位側に露出される各露出面を覆う形状とされ、
前記空調室内機による空調用の空気が通過される通風用開口部を有している
ことを特徴とする空調室内機の防球柵。
【請求項２】
請求項１に記載の空調室内機の防球柵おいて、
それぞれ上下方向に延びて互いに間隔をあけて配設された複数の縦格子部材と、それぞれ上下方向に間隔をあけて配設されて前記複数の縦格子部材同士を連結する複数の横格子部材とによって格子状に形成されている、ことを特徴とする空調室内機の防球柵。
【請求項３】
請求項２に記載の空調室内機の防球柵おいて、
床面に載置または低所に設置された前記空調室内機の正面を覆う正面覆い部と、該空調室内機の左右側面を覆う左右一対の側面覆い部と、該空調室内機の上面を覆う上面覆い部と、を有している、ことを特徴とする空調室内機の防球柵。
【請求項４】
請求項３に記載の空調室内機の防球柵おいて、
下端部付近から所定高さ位置範囲の間に、手指が挿入されるのを規制する多孔部材が設けられている、ことを特徴とする空調室内機の防球柵。
【請求項５】
請求項３または請求項４に記載の空調室内機の防球柵おいて、
前記複数の縦格子部材のうち、一部の縦格子部材の下端が床面に当接される一方、残りの縦格子部材の下端が床面との間に手指および腕が挿入可能な空間を形成するように該床面から離間されている、ことを特徴とする空調室内機の防球柵。
【請求項６】
請求項２に記載の空調室内機の防球柵おいて、
高所に設置された空調室内機の正面を覆う正面覆い部と、該空調室内機の左右側面を覆う左右一対の側面覆い部と、該空調室内機の上面を覆う上面覆い部と、該空調室内機の下面を覆う下面覆い部と、を有している、ことを特徴とする空調室内機の防球柵。
【請求項７】
請求項３ないし請求項６のいずれか１項に記載の空調室内機の防球柵おいて、
前記上面覆い部が、前記内壁面に向かうにつれて徐々に高くなるように傾斜されている、ことを特徴とする空調室内機の防球柵。
【請求項８】
請求項２ないし請求項７のいずれか１項に記載の空調室内機の防球柵おいて、
前記内壁面に固定される係止部材に対して、上方から係脱される係合部を有し、
前記係合部を前記係止部材に係合させることにより、前記内壁面に対して係止される、
ことを特徴とする空調室内機の防球柵。
【請求項９】
請求項８に記載の空調室内機の防球柵おいて、
前記係合部が、前記横格子部材のうち前記空調室内機の左右側方でかつ前記内壁面直近に位置する部分に形成されている、ことを特徴とする空調室内機の防球柵。
【請求項１０】
請求項２ないし請求項９のいずれか１項に記載の空調室内機の防球柵おいて、
前記空調室内機が、第１空調室内機と、該第１空調室内機に隣接して配設される第２空調室内機とを含み、
前記第１空調室内機は、屋外に配設される空調室外機との間で熱媒体が循環されて、空調風として温風と冷風とを選択的に吹き出し可能なヒートポンプ式の空調装置用とされ、
前記第２空調室内機が、前記第１空調室内機を通過した直後の熱媒体が通過されることにより該熱媒体と熱交換されて輻射式で空調を行う輻射パネル式とされ、
前記縦格子部材および前記横格子部材がそれぞれ、アルミニウム合金によって形成されている、
ことを特徴とする空調室内機の防球柵。
【請求項１１】
請求項２ないし請求項１０のいずれか１項に記載の空調室内機の防球柵おいて、
互いに独立した複数の小防球柵を組み合わせることによって構成されている、ことを特徴とする空調室内機の防球柵。